(57)【要約】【課題】ネスティング状態で上下に積載された容器内に、物品が残っているか否かが、外部から容易に識別することができる運搬用容器を提供すること。【解決手段】  下段の容器本体１０ａに対して上段の容器本体１０ａを１８０°反転して他方の向きで重ね合わせた時に上位の容器本体１０ａの支脚部が下位の容器本体のポケット部３２，３４，３８，４０内に没入するようにした運搬用容器であって、  前記容器本体の一対の長側壁１４，１６および一対の短側壁１２，１８に、多数の開口５０をこれら側壁の略全域に配設し、  下段の前記容器本体１０ａに対して上段の容器本体１０ａを、上下方向の背が低くなる態様で重ね合わせた場合に、上段の容器本体１０ａの下半部と下段の容器本体１０ａの上半部との重ね合わせ領域に、内部の様子を視認することのできる開口５０が互いに合致して形成されていることを特徴としている。【選択図】図２
2006044750.tif 000002
【特許請求の範囲】
【請求項１】
一対の長側壁および一対の短側壁を備えた容器本体の外面下部に支脚部を、内面上部にポケット部をそれぞれ有し、
下段の容器本体に対して上段の容器本体を一方の向きで重ね合わせた時に上位の容器本体の支脚部が下位の容器本体のフランジ部上に位置し、
下段の容器本体に対して上段の容器本体を１８０°反転して他方の向きで重ね合わせた時に上位の容器本体の支脚部が下位の容器本体のポケット部内に没入するようにした運搬用容器であって、
前記容器本体の一対の長側壁および一対の短側壁に、多数の開口をこれら側壁の略全域に配設し、
下段の前記容器本体に対して上段の容器本体を、上下方向の背が低くなる態様で重ね合わせた場合に、上段の容器本体と下半部と下段の容器本体の上半部との重ね合わせ領域に、内部の様子を視認することのできる開口が互いに合致して形成されることを特徴とする運搬用容器。
【請求項２】
前記開口は、前記一対の長側壁における点対称位置、および前記一対の短側壁における点対称位置に、それぞれ形成されていることを特徴とする請求項１に記載の運搬用容器。
【請求項３】
前記開口は、各側壁に上下２段に渡って形成されていることを特徴とする請求項１に記載の運搬用容器。
【請求項４】
前記重ね合わせ部における内部の様子を外方から視認することのできる開口の総面積は、重ね合わせ部全体の面積の５１％以上〜７５％以下の範囲に形成されていることを特徴とする請求項１または２に記載の運搬用容器。
【発明の詳細な説明】
【技術分野】
【０００１】
本発明は、複数の容器を上下方向に積み重ねる場合に、全体の背の高さを高くしたり、全体の背の高さを低くしたりして積み重ねることができる運搬用容器に関し、さらに詳しくは、生鮮品の収容・運搬に好適な運搬用容器に関する。
【背景技術】
【０００２】
食品を始めとし、商品の保管あるいは運搬用容器として広く利用されている合成樹脂製容器の中には、例えば、内部に物品を収容して積載する場合のように、背を高くした状態で積み重ねたり（以下、スタッキングという）、内部に物品を収容していない空の状態で積載する場合のように、背を低くした状態で積み重ねたりする（以下、ネスティングという）、いわゆるＳＮコンテナと称される容器が知られている（例えば、特許文献１参照）。
【０００３】
このようなＳＮコンテナ（運搬用容器）では、方向性の確認を容易にするために２色で色分けしたものが知られている。
また、ＳＮコンテナの中には、
１）同色・同形状でスタッキングする場合と、
２）異色・異形状でスタッキングする場合と、の２種類のタイプがある。
【０００４】
同色・同形状タイプのＳＮコンテナは、２色で色分けされた２つのＳＮコンテナを、同色・同形状すなわち同じ姿勢で上下に重ね合わせた場合に背が高くなるタイプのもので、１８０°異なる姿勢（異色・異形状）で上下に重ね合わせた場合に、背を低くしてネスティングすることができる。
【０００５】
一方、異色・異形状タイプのＳＮコンテナは、上記とは反対に、２つのＳＮコンテナを、１８０°異なる姿勢（異色・異形状）で上下に重ね合わせた場合に背を高くすることができ、同じ姿勢（同色・同形状）で上下に重ね合わせた場合に、背を低くしてネスティングすることができる。
【特許文献１】特開２００２−３３２０４３号公報
【発明の開示】
【発明が解決しようとする課題】
【０００６】
ところで、このようなＳＮコンテナの中には、スーパーなどで陳列される精肉、鮮魚、惣菜などを加工センターでパック詰めにして、加工センターから各店舗へ配送するために使用する場合がある。
【０００７】
このような使用勝手の場合、配送後の空の運搬用容器は、加工センターに再び返却されてから洗浄などを行ったのち、繰り返し使用されている。このようなＳＮコンテナ２では、加工センターから各店舗に冷蔵車で商品を配送する場合に、例えば、パック詰めの商品の近傍に冷気を取り入れる必要があり、また回収した空容器の洗浄性も要求されている。
【０００８】
そこで、例えば、図４に示したように、生鮮品を運搬するＳＮコンテナ２の場合は、一対の長側壁４ａ、４ｂおよび一対の短側壁６ａ，６ｂならびに底側壁８に多数の開口１０が形成されている。このような開口１０は、通常矩形に形成されている。
【０００９】
一方、精肉、鮮魚、惣菜などの生鮮品は、例えば、発泡スチロール製のトレイなどに収容されラップで包まれた状態で配送されるため、これらパック詰めの商品は、品質の低下
を防止するために、ＳＮコンテナ一段に対し、商品一段の割合で運搬される場合が多い。
【００１０】
ＳＮコンテナ一段に対し、商品を一段に平積みする場合、図５に示したように、ＳＮコンテナ２，２を、背の低いネスティング状態で物品を搬送したり管理したりすることが可能となる。
【００１１】
しかしながら、ネスティング状態の容器内に商品が収容される場合、図５に示したように、上下の容器の重なりあった部分に物品が収容されるため、この位置の物品を、外方から確認しようとしても、外側（下段）の壁体が邪魔になって、内部を確認することが困難である。いくら、上段および下段の容器本体に、それぞれ開口１０が多数形成されていても、これまでの容器本体では、これらの開口１０が側壁の両端部に偏在されており、中央付近には形成されていないものが多かった。
【００１２】
しかも、上下に重ね合わせた場合に、外側と内側とで重なりあう部分でも、開口１０’のように完全には一致することはないため、内部の様子を確認することが困難であるという問題があった。
【００１３】
なお、仮にスタッキング状態のコンテナ２，２内に物品が収容された場合には、下段の容器に重なりあうことなくその上に上段の容器が載置される。したがって、周囲の四側壁に多数の開口１０さえ形成されていれば、どの位置からでも内部の様子を確認することができ、物品の確認に問題になることはない。
【００１４】
本発明は、このような実情に鑑み、ネスティング状態で上下に積載された容器内に、物品が残っているか否かが、外部から容易に識別することができる運搬用容器を提供することを目的としている。
【課題を解決するための手段】
【００１５】
上記目的を達成するための本発明に係る運搬用容器は、
一対の長側壁および一対の短側壁を備えた容器本体の外面下部に支脚部を、内面上部にポケット部をそれぞれ有し、
下段の容器本体に対して上段の容器本体を一方の向きで重ね合わせた時に上位の容器本体の支脚部が下位の容器本体のフランジ部上に位置し、
下段の容器本体に対して上段の容器本体を１８０°反転して他方の向きで重ね合わせた時に上位の容器本体の支脚部が下位の容器本体のポケット部内に没入するようにした運搬用容器であって、
前記容器本体の一対の長側壁および一対の短側壁に、多数の開口をこれら側壁の略全域に配設し、
下段の前記容器本体に対して上段の容器本体を、上下方向の背が低くなる態様で重ね合わせた場合に、上段の容器本体と下半部と下段の容器本体の上半部との重ね合わせ領域に、内部の様子を視認することのできる開口が互いに合致して形成されることを特徴としている。
【００１６】
係る構成による本発明に係る運搬用容器は、複数個の容器本体を上下にネスティングした場合に、物品が収容されている内部の様子を外方から確実に識別することのできる。したがって、ネスティング状態で物品を収容し搬送する場合であっても、物品の有無などを確実に判断することができる。
【００１７】
さらに、本発明では、前記開口は、前記一対の長側壁における点対称位置、および前記一対の短側壁における点対称位置に、それぞれ形成されていることが好ましい。
このような構成であれば、上下に重ね合わせた場合に、上位の容器本体の開口と下位の
容器本体の開口とが、確実に重なりあうので、外部から内部の様子を視認することができる。
【００１８】
また、一対の短側壁および一対の長側壁における点対称位置に形成されていれば、どの位置からでも内部の様子を確認することができる。
また、外部から容易に識別することができ、且つ強度を有している運搬用容器を提供できる。
【００１９】
さらに、本発明では、開口は、各側壁に上下２段に渡って形成されていることが好ましい。
このような構成であれば、ネスティングした場合に、上段の容器本体の下半部と、下段の容器本体の上半部とが、確実に重なりあうので、内部の様子を確認することができる。
【００２０】
ここで、前記重ね合わせ部における内部の様子を外方から視認することのできる開口の総面積は、重ね合わせ部全体の面積の５１％以上〜７５％以下の範囲に形成されていることが好ましい。
【００２１】
このような範囲に開口が形成されていれば、内部の視認性が良好であるとともに、強度的にも十分である。
【発明の効果】
【００２２】
本発明に係る運搬用容器によれば、背を低くしたいわゆるネスティングの姿勢により物品を運搬する場合であっても、上下に重なりあった部分に十分な面積の開口が重なりあうので、内部に物品が残っているかいないかなど、内部の様子を良好に確認することができる。
【００２３】
また、一対の長側壁および一対の短側壁における点対称位置に開口が形成されていれば、どの側壁でも開口同士が重なりあうので、どの位置から眺めても内部を良好に確認することができる。
【００２４】
さらに、開口が側壁の上下２段に渡って形成されていれば、開口同士を無理なくラップさせることができる。
さらに、重ね合わせ部における開口の総面積を、全体の５１％以上〜７５％以下の範囲とすれば、容器本体の強度を十分に維持することができる。
【発明を実施するための最良の形態】
【００２５】
以下、図面を参照しながら、本発明の実施例について説明する。
図１は、本発明の一実施例に係る運搬用容器を示したものである。
この運搬用容器１０（ＳＮコンテナ１０）は、いわゆる同色・同形状ＳＮコンテナと称されるもので、２つの容器本体１０ａ，１０ａを用意した場合に、同じ姿勢、同じ向きで上下に重ね合わせた場合に、背を高くしてスタッキングすることができ、逆の向き、すなわち、上位の容器本体１０ａを１８０°回転させて、下位の容器本体１０ａに重ね合わせた場合に、背を低くしてネスティングすることができる。
【００２６】
すなわち、この運搬用容器１０の容器本体１０ａは、底壁１２と一対の長側壁１４，１６と、一対の短側壁１８，２０とを有し、四側壁1４，１６，１８，２０は、やや外方に
向けて外側に傾斜して一体成形されている。また、四側壁1４，１６，１８，２０の開口
部上縁には、フランジ部２２が形成されている。
【００２７】
これらの四側壁１４，１６，１８，２０には、洗浄用・通風性、さらには、内部の様子
を視認する覗き窓として機能する多数の開口５０が形成されている。また底壁１２には、小開口５２が全面に形成されている。特に、四側壁に形成された開口５０は、上下２段に、矩形の開口５０が全面的に形成されている。また、一対の長側壁１４，１６間および一対の短側壁１８，２０間では、点Ｏを中心に点対称となる位置にそれぞれの開口５０が形成されている。
【００２８】
このような開口５０の形成面積は、重ね合わせた部全体の５１％以上〜７５％以下であることが望ましい。このような割合で開口５０が形成されていれば、内部の様子を視認する上で良好であるとともに、容器としての十分な強度を維持することができる。
【００２９】
さらに、長側壁１４には、スタッキング時の位置決めとして機能する支脚部２４，２６が外面両端部に形成され、これに対向する他方の長側壁１６の外面両端部にも、同じく支脚部２４，２６（図示せず）がそれぞれ形成されている。
【００３０】
なお、長側壁１４，１６に形成された、これらの支脚部２４，２６は、容器本体の長手方向の中心線に対して線対称の位置に配置されている。
一方、短側壁２０の外面下部には、スタッキング時の位置決めとして機能する幅細の支脚部２８と、同じくスタッキング時に機能する突起状の支脚部３０がそれぞれ形成されている。また、反対側の短側壁１８の外面下部にも、同様の支脚部２８，３０がそれぞれ形成されているが、これらは点Ｏを中心に点対称となる位置に形成されている。すなわち、側壁１８を図１の左側から見たとき、側壁１８の右側の下部に突起状の支脚部３０が、左側の端部に細い線状の支脚部２８がそれぞれ形成されている。
【００３１】
また、容器本体１０ａの長側壁１６には、長側壁１４に形成された支脚部２４の下半部の形状を収容することのできるポケット部３２が、点Ｏを支点として点対称の位置に形成されている。さらに長側壁１６には、長側壁１４に形成された支脚部２６の下半部の形状を収容するこのできるポケット部３４が、点Ｏを支点として点対称の位置に形成されている。
【００３２】
同じく、長側壁１４には、支脚部２６の下半部の形状を収容することのできるポケット部３８と、支脚部２４の下半部の形状を収容することのできるポケット部４０が形成されている。
【００３３】
なお、長側壁１４に形成されたポケット部３８，４０は、長側壁１６に形成されたポケット部３４，３２にそれぞれ対応している。
さらに、容器本体１０ａの短側壁１８には、短側壁２０に形成された支脚部２８の下半部を収容することのできる幅細のポケット部３４’が、点対称位置に形成されている。さらに、短側壁１８には、短側壁２０に形成された支脚部３０を内方に収容することのできる切欠き状のポケット部３６が点対称位置に形成されている。
【００３４】
同じく、短側壁２０には、支脚部２８の下半部の形状を収容することのできる幅細のポケット部４２が形成され、さらに、支脚部３０の形状を内方に収容することのできる切り欠き状のポケット部４４が形成されている。なお、短側壁１８に形成されたポケット部３６は、短側壁２０に形成されたポケット部４４と同じ形状であり、短側壁１８に形成されたポケット部３４’は、短側壁２０に形成されたポケット部４２と同じ形状である。すなわち、ポケット部３６とポケット部４４は、点対称の関係にあり、ポケット部３４’とポケット部４２も点対称の関係にある。
【００３５】
さらに、本実施例の運搬用容器１０では、互いに隣接する二側壁に跨って平面視で見るとＬ字状をなす第３水平フランジＡ，Ｂ，Ｃ，Ｄが形成されている。
これらの第３水平フランジＡ，Ｂ，Ｃ，Ｄの高さＴは、全て同一であるが、容器本体１０ａの全体の高さをＸとしたとき、高さＴは、高さＸの半分ほどの高さを有している。この高さＴにより、ネスティングした場合の上下に重なり合う深さが決定される。
【００３６】
このような構成の同形状・同色ＳＮコンテナ１０では、２つのコンテナ本体１０ａ，１０ａを用意し、図２に示したように、同じ姿勢（同色・同形状）で上下に重ね合わせた場合に、長側壁１４の支脚部２４がフランジ部２２上に、長側壁１４の支脚部２６がフランジ部２２上に配置され、同様に長側壁１６の支脚部２４と、長側壁１６の支脚部２６がフランジ部２２に配置され、短側壁２０の支脚部２８と支脚部３０が、ポケット部４２、４４内の浅い段部にそれぞれ配置され、同様に短側壁１８の支脚部２８と支脚部３０が、ポケット部３４’，３６内の浅い段部６２，６４にそれぞれ配置される。このようにして、四側壁１４，１６，１８、２０の外面に具備された各支脚部が直上に配置されて、上下２段のＳＮコンテナ１０、１０が背を高くして重ねられる。
【００３７】
一方、下位の容器本体１０ａに対し、上位の容器本体１０ａを１８０°回転させて上下２段に配置すれば、図３に示したように、上位の容器本体１０ａの長側壁１６に形成された支脚部Ｃ，Ｄが下位の容器本体１０ａのフランジ部２２上に配置され、安定した姿勢でネスティングされる。このとき、上段の容器本体１０ａの下半部は、下段の容器本体１０ａの上半部（Ｗの高さ）内に収容される。これにより、図３に示したネスティング状態では、図２に示したスタッキング状態に比べて背が低くされる。
【００３８】
本実施例による同形状・同色ＳＮコンテナ１０は、上記のようにしてスタッキングあるいはネスティングのいずれかの嵌合姿勢をとることができる。
また、本実施例のＳＮコンテナ１０は、例えば、生鮮品を運搬するのに好適に使用することができ、その場合には、スタッキング姿勢ではなく、図３に示したネスティング姿勢で、パック詰めの商品などを運搬することができり。その場合、容器本体１０ａの１段に対し、パック詰め商品が１段で平らに収容され、この姿勢で運搬される。
【００３９】
このとき、下段のコンテナ本体１０ａ内に収容された商品は、最下部に形成された多数の開口５０を介して確認することができる。また、上段のコンテナ本体１０ａ内に収容された商品は、下段のコンテナ本体１０ａと重なりあったＷの範囲に収容されているが、この重ね合わせ領域Ｗでは、上下のコンテナ本体１０ａ，１０ａに形成された開口５０が互いにラップして配置されるので、このラップした二重の開口５０から内部の様子を視認することができる。また、短側壁１８，２０においても同様で、点対称位置に形成された開口５０，５０同士が互いにラップし合うので、どの位置からでも内部の様子を確実に視認することができる。
【００４０】
よって、このようなネスティング状態の上下のコンテナ１０ａ，１０ａ内に物品が収容されていても、または収容されていなくても、その様子を外部から確認することができる。
【００４１】
さらに、容器本体の四側壁の他、底壁にも小開口５２が多数形成されていることから、通風性も良好である。したがって、運搬中に空気あるいは冷気の流通が良好であることは勿論のこと、水洗いする場合などにも、これらの開口５０，５２から水切りを行うことができる。
【００４２】
本実施例において、一つ一つの開口５０の大きさは、特に限定されるものではなく、適宜大きさを選択することができる。
以上、本発明の一実施例について説明したが、本発明は、上記実施例に何ら限定されない。
【００４３】
例えば、上記実施例では、いわゆる同色・同形状スタッキングタイプのＳＮコンテナを例にして説明したが、本発明は、勿論、異形状・異色スタッキングタイプのＳＮコンテナにも適用可能である。また、勿論、スタッキング状態で物品の運搬を行うこともできる。
【００４４】
さらに、開口５０の形状は、矩形に限定されない。また、二色に色分けすることは特に限定されない。
【図面の簡単な説明】
【００４５】
【図１】図１は、本発明の一実施例による運搬用容器の斜視図である。
【図２】図２は、図１に示した運搬用容器をスタッキング状態に積み重ねたときの側面図である。
【図３】図３は、図１に示した運搬用容器をネスティング状態に積み重ねたときの側面図である。
【図４】図４は従来の運搬用容器の斜視図である。
【図５】図５は図４に示した従来の運搬用容器をネスティング状態に積み重ねた時の側面図である。
【符号の説明】
【００４６】
１０                      運搬用容器（ＳＮコンテナ）
５０                      開口
１０ａ                    容器本体（コンテナ本体）
１２                      底壁
1４，１６                  長側壁
１８，２０                短側壁
２２                      フランジ部
２４，２６，２８，３０    支脚部
３４，３２                ポケット部
３４’，３６              ポケット部
３８，４０                ポケット部
４２，４４                ポケット部
Ａ，Ｂ，Ｃ，Ｄ            第３水平フランジ
【図１】
2006044750.tif 000003
【図２】
2006044750.tif 000004
【図３】
2006044750.tif 000005
【図４】
2006044750.tif 000006
【図５】
2006044750.tif 000007